(57)【特許請求の範囲】
【請求項１】
着信時、着信情報中に含まれる特有な情報の種類を判別する第１の手段と、
この第１の手段により判別された特有な情報の種類に基づいて着信通知動作の種類を選択する第２の手段とを具備し、
着信情報はＥメールアドレスであり、特有な情報はＥメールアドレスのドメイン名中のプロバイダ名であることを特徴とする電話機。
【請求項２】
特有な情報と着信通知動作の関係はメモリ内に記憶されていることを特徴とする請求項１に記載の電話機。
【請求項３】
メモリ内に記憶された着信通知動作はキー操作により変更できることを特徴とする請求項２に記載の電話機。
【発明の詳細な説明】
【０００１】
【発明の属する技術分野】
本発明は、移動体通信端末などの電話機に係り、特に着信通知機能に関する。
【０００２】
【従来の技術】
図５は、移動体通信端末における電話帳の登録内容を示す図である。電話帳には、相手方の電話番号と名前とを複数件数登録でき、しかも各電話番号が属するグループ（図５では、０，１，２…の数字で表される）を登録できる。
【０００３】
図６は、移動体通信端末における着信通知動作設定ファイルの内容を示す図で、このファイルには、電話帳で登録される各グループに対応してそれぞれ個別の着信通知動作（第１着信音、第１メロディ、第１振動パターン等）が設定される。
【０００４】
したがって、従来の移動体通信端末では、着信時、相手方の電話番号が受信され、その電話番号が電話帳に登録されており、しかも電話番号のグループが電話帳に登録されていると、図６のファイルから読み出されたグループ別の着信音、メロディ、または振動パターンで着信通知動作が行われる。
【０００５】
【発明が解決しようとする課題】
しかし、従来の移動体通信端末では、電話帳に電話番号とグループを登録していない電話番号からの着信に対しては、非グループとして標準の着信音、メロディ、振動パターンを再生する方法しかなく、着信通知動作の区分けが不充分であった。
【０００６】
本発明は上記の点に鑑みなされたもので、電話帳に電話番号とグループを登録していなくても、着信の種類によって、着信通知動作を細かく変えられる電話機を提供することを目的とする。
【０００７】
【課題を解決するための手段】
本発明の電話機は、着信時、着信情報中に含まれる特有な情報の種類を判別する第１の手段と、この第１の手段により判別された特有な情報の種類に基づいて着信通知動作の種類を選択する第２の手段とを具備し、着信情報はＥメールアドレスであり、特有な情報はＥメールアドレスのドメイン名中のプロバイダ名であることを特徴とする。
【０００８】
上記電話機において、特有な情報と着信通知動作の関係はメモリ内に記憶される。メモリ内に記憶された着信通知動作はキー操作により変更できることが好ましい。
【０００９】
【発明の実施の形態】
次に添付図面を参照して本発明による電話機の実施の形態を詳細に説明する。図２は本発明の実施の形態として移動体通信端末を示すブロック図である。この図において、アンテナが接続される送受信回路部１０は、移動体通信端末における送受信処理を、マイクロコンピュータを内臓した制御部１２に制御されることにより行う回路である。すなわち、送受信回路部１０は音声メッセージや文字メッセージまたは制御信号等を高周波により変調してアンテナより送出したり、アンテナより受信した音声メッセージや文字メッセージまたは制御信号等を復調して制御部１２に出力する。
【００１０】
制御部１２は、ＲＯＭ１４に記憶されたプログラムに従って、操作キー２４および送受信回路部１０からの制御信号により動作し、送受信回路部１０、ＬＣＤドライバ１８および音声処理部２６を制御する。また、制御部１２はＲＡＭ１６に接続され、ＲＡＭ１６をＲＯＭ１４に記憶されたプログラムを実行するときのワークエリアとして使用する。さらに、制御部１２はＥ2ＰＲＯＭ１７に接続され、メッセージセンタから受信した文字メッセージ等をＥ2ＰＲＯＭ１７に記憶する。Ｅ2ＰＲＯＭ１７は電話帳としても使用され、複数の相手方電話番号、名前および電話番号が属するグループを記憶する。
【００１１】
ＬＣＤドライバ１８は制御部１２の制御に従ってＬＣＤである表示部２２を駆動してこれの表示を行う。すなわち、ＬＣＤドライバ１８は、制御部１２からの制御信号に対応する文字パターン（英、数字も含む）やアイコン（図形）パターンをフォントＲＯＭ２０から読み出し、表示部２２に表示する。音声処理部２６は、スピーカ２８およびマイク３０に接続され、制御部１２から入力した音声信号を増幅してスピーカ２８で出力したり、マイク３０で入力した音声信号を増幅して制御部１２に出力する処理を行う。リンガ３２は制御部１２により制御されて、着信を着信音やメロディで報知する。バイブレータ３４は制御部１２により制御され、着信を振動で報知する。
【００１２】
上記の移動体通信端末において、Ｅ2ＰＲＯＭ１７には電話帳としての情報が上述のように記憶されるが、他に、着信時、着信情報中の特有な情報の種類を判別して着信通知動作の種類を選択するために使用される情報（以下、着信通知動作選択情報という）が予め記憶される（すなわち、着信通知動作選択情報のテーブルが設けられる）。
【００１３】
図３は、着信通知動作選択情報の内容を具体的に示す図である。この着信通知動作選択情報としては、前記特有な情報として、電話機の種類を表す番号、地域を表す番号、Ｅメールアドレス中のドメイン名が記憶される。具体的に説明すると、特有な情報としては、電話機がＰＨＳ電話機であることを示す「０７０」の番号、電話機が携帯電話機であることを示す「０９０」の番号、地域が東京２３区であることを示す「０３」の市外局番、地域が川崎市であることを示す「０４４」の市外局番、地域が横浜市であることを示す「０４５」の市外局番、以下各地域の市外局番が記憶され、さらに図４に一例を示すＥメールアドレス中の＠以降の、プロバイダ名等を含むドメイン名が複数種類記憶される。
【００１４】
さらに、着信通知動作選択情報としては、前記各特有な情報に対応して、着信通知動作の種類を表す着信通知動作情報が記憶される。一例として図３では、「０７０」の番号に対応して第１メロディ、「０９０」の番号に対応して第２メロディ、「０３」の市外局番に対応して第１着信音、「０４４」の市外局番に対応して第２着信音、「０４５」の市外局番に対応して第３着信音、第１ドメイン名に対応して第３メロディ、第２ドメイン名に対応して第４メロディ、第ｎドメイン名に対応して第１振動パターン、の各着信通知動作情報が記憶される。なお、この着信通知動作情報は、端末使用者が操作キー２４の操作によって任意に変更することもできる。
【００１５】
図２の移動体通信端末では、着信時、相手方電話番号やＥメールアドレスなどの着信情報が得られると、その着信情報中に含まれる特有な情報、すなわち電話機の種類を表わす番号や、地域を表わす番号、あるいはドメイン名などを判別して、その判別結果に基づいて、図３の着信通知動作選択情報を参照して、特有な情報毎に異なる着信通知動作を実行できる。このような着信通知動作を図１のフローチャートを参照して以下詳細に説明する。
【００１６】
ステップＳ１で着信があると、その着信で得られた着信情報が電話番号であるかステップＳ２で判断される。そして、もし着信情報が電話番号であると判断されると、ステップＳ１１，Ｓ１２，Ｓ１３，Ｓ１４…のいずれかにおいて、電話番号中に含まれる特有な情報がＰＨＳ電話機を表わす「０７０」の番号か、携帯電話機を表わす「０９０」の番号か、それともどの地域を表わす市外局番であるか判別される。そして、番号がＰＨＳ電話機を表わす番号、または携帯電話機を表わす番号、またはある地域を表わす市外局番であると判別されると、図３の着信通知動作選択情報中から、判別された番号に対応する着信通知動作情報が読み出され、ステップＳ２１，Ｓ２２，Ｓ２３，Ｓ２４…のいずれかにおいて、判別された番号に対応する着信通知動作が行われる。例えば図３によれば、判別された番号が「０７０」の場合は第１メロディで着信通知動作が行われ、判別された番号が「０９０」の場合は第２メロディで着信通知動作が行われ、判別された番号が「０３」の場合は第１着信音で着信通知動作が行われ、以下同様に判別された番号毎に異なる着信通知動作が行われる。
【００１７】
一方、図１のステップＳ２で着信情報が電話番号でないと判断されると、ステップＳ３に進んで、着信情報がＥメールアドレスであるか判断される。そして、もし着信情報がＥメールアドレスでなければステップＳ２に戻るが、着信情報がＥメールアドレスであれば、ステップＳ３１，Ｓ３２…Ｓ３ｎのいずれかにおいて、Ｅメールアドレス中に含まれるドメイン名がどのドメイン名か判別される。そして、ドメイン名が判別されると、図３の着信通知動作選択情報中から、判別されたドメイン名に対応する着信通知動作情報が読み出され、ステップＳ４１，Ｓ４２…Ｓ４ｎのいずれかにおいて、判別されたドメイン名に対応する着信通知動作が行われる。例えば図３によれば、判別されたドメイン名が第１ドメイン名の場合は第３メロディで着信通知動作が行われ、判別されたドメイン名が第２ドメイン名の場合は第４メロディで着信通知動作が行われ、以下同様に判別されたドメイン名毎に異なる着信通知動作が行われる。
【００１８】
以上のように、上記の移動体通信端末によれば、電話帳に電話番号とグループを登録していなくても、着信情報中の特有な情報から、特有な情報毎に異なる着信通知動作を実行できる。したがって、使用者は、面倒な登録操作を行わなくても、どのような種類の電話機から、またはどの地域から、あるいはどのプロバイダを通して電話やメールが届いたか知ることができ、非常に便利になる。
【００１９】
なお、Ｅメールアドレスのドメイン名が特有な情報である場合において、プロバイダ単位程度に着信通知動作を分類する場合は、図４のドメイン名中の特に第３レベル（ここにプロバイダ名が含まれる）を特有な情報に指定すればよいが、より粗く着信通知動作を分類する場合は、主に業種や団体が指定されるドメイン名中の第２レベル、あるいは主に国名が指定されるドメイン名中の第１レベルを特有な情報に指定すればよい。
【００２０】
また、地域の番号（市外局番）が特有な情報である場合において、上記の例では各市外局番が各着信通知動作に対応しているが、複数の市外局番をまとめて例えば都道府県単位、あるいはより地域を広げて各地方単位でそれぞれ１つの着信通知動作を割り当てることもできる。このように特有な情報を複数個まとめることは、市外局番以外の他の特有な情報についても、あるいは種類の異なる特有な情報間でも適用できる。
【００２１】
さらに、着信情報中の特有な情報をワイルドカードを使用して判別することもできる。
【００２２】
なお、上記の実施の形態は、本発明を移動体通信端末に適用した場合であるが、本発明は、家庭用固定電話機などのその他の電話機にも応用できることは勿論である。
【００２３】
【発明の効果】
以上詳細に説明したように本発明の電話機によれば、電話帳に電話番号とグループを登録しなくても、着信情報中の特有な情報から、特有な情報毎に異なる着信通知動作となり、使用者にとって非常に便利になる。
【図面の簡単な説明】
【図１】本発明の実施の形態の動作を示すフローチャート。
【図２】本発明の電話機の実施の形態を示すブロック図。
【図３】本発明の実施の形態の電話機において、Ｅ2ＰＲＯＭに記憶される着信通知動作選択情報の内容を示す図。
【図４】Ｅメールアドレス一例を示す図。
【図５】電話帳の登録内容を示す図。
【図６】着信通知動作設定ファイルの内容を示す図。
【符号の説明】
１２  制御部
１７  Ｅ2ＰＲＯＭ
３２  リンガ
３４  バイブレータ
【図１】
0003689777.tif 000002
【図２】
0003689777.tif 000003
【図３】
0003689777.tif 000004
【図４】
0003689777.tif 000005
【図５】
0003689777.tif 000006
【図６】
0003689777.tif 000007